(57)【要約】      （修正有）【課題】切断加工時にバリを抑制し得る鋸刃形状を備えた鋸刃を提供する。【解決手段】左右方向に振り出した少なくとも１対の平歯７Ｆ1，７Ｆ2を備えてなる鋸刃７において、平歯７Ｆ1，７Ｆ2の左右コーナ部の歯高寸法がそれぞれ異なる。また、少なくとも１個の台形歯からなる先行歯と、この先行歯より左右方向に振り出した少なくとも１対の平歯とからなる後続歯を備えてなる鋸刃において、平歯のそれぞれの歯高寸法が大きい方のコーナ部の歯高寸法に対して台形歯の歯高寸法を同等、あるいは小さく構成してある。【選択図】図１８
2008132594.tif 000002
【特許請求の範囲】
【請求項１】
左右方向に振り出した少なくとも１対の平歯を備えてなる鋸刃において、
前記平歯の左右コーナ部の歯高寸法がそれぞれ異なることを特徴とした鋸刃。
【請求項２】
少なくとも１個の台形歯からなる先行歯と、この先行歯より左右方向に振り出した少なくとも１対の平歯とからなる後続歯を備えてなる鋸刃において、
前記平歯のそれぞれの歯高寸法が大きい方のコーナ部の歯高寸法に対して前記台形歯の歯高寸法を同等、あるいは小さく構成してなることを特徴とする鋸刃。
【請求項３】
少なくとも１個の台形歯からなる先行歯と、この先行歯より左右方向に振り出した少なくとも１対の平歯を備えてなる鋸刃において、前記平歯が、前記台形歯の切れ歯となる部分の稜線より幅方向において右方の外側に突出した右方平歯と、前記台形歯の切れ歯となる部分の稜線より幅方向において、左方の外側に突出した左方平歯を備え、
前記右方平歯と左方平歯の各外側コーナ部の歯高寸法に対して、前記右方平歯と左方平歯の各内側コーナ部の歯高寸法、および前記台形歯の歯高寸法を同等、あるいは小さく構成してなることを特徴とする鋸刃。
【発明の詳細な説明】
【技術分野】
【０００１】
この発明は、切削加工において、被削材を切断する工具としての例えば帯鋸、弓鋸、丸鋸などの鋸刃に係り、さらに詳細にはワークピースの切断時における材料のバリを制御し得る鋸刃に関する。
【背景技術】
【０００２】
従来より、例えば金属製の大きなワークピースを切断する装置として帯鋸盤が使用されている。この帯鋸盤に使用される帯鋸刃においては、切断後の材料にバリが発生することが重大な問題となっている。これにより帯鋸盤に使用される帯鋸刃においては、例えば材料のバリ発生の抑制を行うために、鋸刃のピッチを小さくしたり、アサリ振出量を変えるなどの手法が用いられている。しかしながら、前述の手法では抜本的な解決に至っておらず、バリは必ず発生している。このため、切断現場では後工程としてバリ取り作業を行わなければならない場合がある。
【発明の開示】
【発明が解決しようとする課題】
【０００３】
ところで、近年、切断加工の合理化が進められている中、バリ取り作業は切断コストを高くする重大な要因となっている。また、後工程である旋盤工程においてもＮＣ化が進んでいるため、例えば材料にバリがあると、切削工具に過負荷がかかり破損するといったトラブルの原因となるという問題点があった。したがって、切断加工の際にバリを抑制することは重要な課題となっている。
【０００４】
バリの発生は鋸刃形状に起因するという問題点があった。すなわち、アサリ歯のせり上がり部分あるいは直歯で材料が切り落とされた瞬間に、まだアサリ歯によって切断されていない材料部分が残ることによってバリが発生することが一因となっている。そのため、現状の鋸刃形状ではバリを抑制することができないという問題点があった。
【０００５】
ちなみに、図３１を参照するに、直歯１０１Ｓと左アサリ歯１０１Ｌと右アサリ歯１０１Ｒとから構成される従来のアサリ鋸刃１０１により切断加工されると、切断終了時の材料切り落としは歯高の最も高い部分、つまり左アサリ歯１０１Ｌと右アサリ歯１０１Ｒの各内側コーナ部で行われるので、最終切断面を形成する左、右アサリ歯１０１Ｌ，１０１Ｒの切るべき材料部分が残ることになる。特に製品側は切り落とされた瞬間にアンクランプとなってフリーの状態になるために、この傾向は顕著になり、バリが発生する。
【０００６】
また、図３２を参照するに、台形歯１０３Ｂと平歯１０３Ｆとから構成される従来のバチ鋸刃１０３により切断加工されると、切断終了時の材料切り落としは歯高の最も高い部分である台形歯１０３Ｂの先端歯で行われるので、平歯１０３Ｆの切るべき材料部分が残ることになるために、バリが発生する。
【０００７】
また、図３３を参照するに、直歯１０５Ｓと、歯先の厚み方向歯線のほぼ中央部に割を入れて左右方向に振り出した左アサリ歯１０５Ｌと右アサリ歯１０５Ｒを備えてなる両刃アサリ歯１０５ＬＲとから構成される従来のアサリ鋸刃１０５により切断加工されると、図３１の鋸刃１０１と同様に作用してバリが発生する。
【０００８】
この発明は上述の課題を解決するためになされたもので、その目的は、切断加工時にバリを抑制し得る鋸刃形状を備えた鋸刃を提供することにある。
【課題を解決するための手段】
【０００９】
上記目的を達成するために、この発明の鋸刃は、左右方向に同時に振り出した少なくとも１対の平歯を備えてなる鋸刃において、前記平歯の左右コーナ部の歯高寸法がそれぞれ異なることを特徴とするものである。
【００１０】
したがって、鋸刃による切断終了時の材料切り落としは歯高寸法の最も大きい部分、つまり必ず平歯の両外側コーナ部で行われるので、切断加工時にバリの発生が抑制される。
【００１１】
また、この発明の鋸刃は、少なくとも１個の台形歯からなる先行歯と、この先行歯より左右方向に同時に振り出した少なくとも１対の平歯とからなる後続歯を備えてなる鋸刃において、前記平歯のそれぞれの歯高寸法が大きい方のコーナ部の歯高寸法に対して前記台形歯の歯高寸法を同等、あるいは小さく構成してなることを特徴とするものである。
【００１２】
したがって、鋸刃による切断終了時の材料切り落としは歯高の最も高い部分、つまり必ず平歯の両外側コーナ部で行われるので、切断加工時にバリの発生が抑制される。
【００１３】
また、この発明の鋸刃は、少なくとも１個の台形歯からなる先行歯と、この先行歯より左右方向に同時に振り出した少なくとも１対の平歯を備えてなる鋸刃において、前記平歯が、前記台形歯の切れ歯となる部分の稜線より幅方向において右方の外側に突出した右方平歯と、前記台形歯の切れ歯となる部分の稜線より幅方向において左方の外側に突出した左方平歯とを備え、前記右方平歯と左方平歯の各外側コーナ部の歯高寸法に対して、前記右方平歯と左方平歯の各内側コーナ部の歯高寸法、および前記台形歯の歯高寸法を同等、あるいは小さく構成してなることを特徴とするものである。
【発明の効果】
【００１４】
以上のごとき発明の実施の形態の説明から理解されるように、本発明によれば、鋸刃による切断終了時の材料切り落としを歯高の最も高い部分、つまり必ず平歯の両外側コーナ部で行うので、切断加工時にバリの発生を抑制できる。
【発明を実施するための最良の形態】
【００１５】
以下、この発明の実施の形態について図面を参照して説明する。
【００１６】
図１、図２および図３を参照するに、この発明の第１の実施の形態に係わる鋸刃１は、左右方向に振り出した少なくとも１対の左、右アサリ歯１Ｌ，１Ｒが備えられている。
【００１７】
右アサリ歯１Ｒは、内側コーナ部の歯高寸法１ＨＲ’が外側コーナ部の歯高寸法１ＨＲに対して小さく構成されており、左アサリ歯１Ｌも内側コーナ部の歯高寸法１ＨＬ’が外側コーナ部の歯高寸法１ＨＬに対して小さく構成されている。
【００１８】
上記鋸刃１は、アサリ歯のみから構成される、あらゆるアサリパターンの鋸刃であっても構わない。
【００１９】
図５、図６および図７を参照するに、この発明の第２の実施の形態に係わる鋸刃で、上記鋸刃１に少なくとも１個の直歯からなる先行歯が加わったものである。
【００２０】
すなわち鋸刃３は、少なくとも１個の直歯３Ｓからなる先行歯と、この直歯３Ｓより左右方向に振り出した少なくとも１対の右アサリ歯３Ｒと、左アサリ歯３Ｌとからなる後続歯が備えられている。
【００２１】
右アサリ歯３Ｒは、内側コーナ部の歯高寸法３ＨR’が外側コーナ部の歯高寸法３ＨRに対して小さく構成されており、左アサリ歯３Ｌも、内側コーナ部の歯高寸法３ＨＬ’が外側コーナ部の歯高寸法３ＨLに対して小さく構成されている。
【００２２】
また、直歯３Ｓの左右コーナ部の歯高寸法３ＨSは、上記の１対の左アサリ歯３Ｌと右アサリ歯３Ｒの各外側コーナ部の歯高寸法３ＨL，３ＨRに対して同等、あるいは小さく構成されている。
【００２３】
上記の鋸刃３は、図９に示されているように直歯３Ｓ，右アサリ歯３Ｒ，左アサリ歯３Ｌ，右アサリ歯３Ｒ，左アサリ歯３Ｌの５枚鋸歯から構成される５枚構成パターンが繰り返される鋸刃であっても構わない。あるいは、図１０に示されているように同様の符号で示すと順に３Ｓ，３Ｒ，３Ｌ，３Ｒ，３Ｌ，３Ｒ，３Ｌの７枚鋸歯から構成される７枚構成パターンが繰り返される鋸刃であっても構わない。あるいは、図１１に示されているように順に３Ｓ，３Ｒ，３Ｌ，３Ｒ，３Ｓ，３Ｌ，３Ｒ，３Ｌの８枚鋸歯から構成される８枚構成パターンが繰り返される鋸刃であっても構わない。あるいは、直歯３Ｓ，右アサリ歯３Ｒ，左アサリ歯３Ｌがそれぞれ複数個を備えた他のアサリパターンの鋸刃であっても構わない。
【００２４】
上記構成により、鋸刃による切断終了時の材料切り落としは歯高の最も高い部分で行われる。したがって、鋸刃１あるいは３を用いて切断加工が行われると、図４あるいは図８に示されているように必ず１対の左アサリ歯１Ｌまたは３Ｌと右アサリ歯１Ｒまたは３Ｒの各外側コーナ部により切断終了時の材料切り落としが行われるので、切断加工時にバリが発生しないことになる。
【００２５】
図１２、図１３および図１４を参照するに、この発明の第３の実施の形態に係る鋸刃５は、少なくとも１個の左右コーナ部の歯高寸法５ＨＳを同等あるいは小さく（５ＨＳ≦５ＨＲ，５ＨＳ≦５ＨＬ）構台形歯５Ｓからなる先行歯と、この先行歯の台形歯５Ｓより左右方向に振り出した少なくとも１対の右アサリ歯５Ｒと左アサリ歯５Ｌとからなる後続歯が備えられている。
【００２６】
左、右アサリ歯５Ｌ，５Ｒの外側コーナ部の歯高寸法５ＨＬ，５ＨＲに対して、内側コーナ部の歯高寸法５ＨＬ´５ＨＲ´および前記台形歯５Ｓ成されている。
【００２７】
上記構成により、鋸刃による切断終了時の材料切り落としは歯高の最も高い部分で行われる。したがって、鋸刃５を用いて切断加工が行われると、図１５に示されているように必ず１対の左アサリ歯５Ｌと右アサリ歯５Ｒの各外側コーナ部により切断終了時の材料切り落としが行われるので、切断加工時にバリが発生しないことになる。
【００２８】
図１６、図１７および図１８を参照するに、この発明の第４の実施の形態に係わる鋸刃７は、左右方向に同時に振り出した少なくとも１対の平歯７Ｆ１，７Ｆ２を備えられている。
【００２９】
上記１対の平歯において、一方の平歯７Ｆ１は、左コーナ部の歯高寸法７ＨＦ１Ｌ’が右コーナ部の歯高寸法７ＨＦ１Ｒに対して小さく構成されており、もう一方の平歯７Ｆ２は、右コーナ部の歯高寸法７ＨＦ２Ｒ’が左コーナ部の歯高寸法７ＨＦ２Ｌに対して小さく構成されている。
【００３０】
上記構成により、鋸刃による切断終了時の材料切り落としは歯高の最も高い部分で行われる。したがって、鋸刃７を用いて切断加工が行われると、図１９に示されているように必ず１対の平歯７Ｆ１，７Ｆ２の各外側コーナ部により切断終了時の材料切り落としが行われるので、切断加工時にバリが発生しないことになる。
【００３１】
図２０、図２１および図２２を参照するに、この発明の第５の実施の形態に係わる鋸刃で上記鋸刃７に少なくとも１個の台形歯９Ｂからなる先行歯が加わったものとして鋸刃９でも構わない。
【００３２】
すなわち、鋸刃９は、少なくとも１個の台形歯からなる先行歯と、この先行歯より左右方向に同時に振り出した少なくとも１対の平歯９Ｆ１，９Ｆ２とからなる後続歯が備えられている。
【００３３】
上記の台形歯９Ｂの歯高寸法９ＨBは、上記１対の平歯９Ｆ１，９Ｆ２の歯高の高いコーナ部の歯高寸法９ＨＦ１Ｒ，９ＨＦ２Ｌに対して同等、あるいは小さく構成されている。
【００３４】
図２４、図２５および図２６を参照するに、上記の鋸刃９の変形したものとして鋸刃１１であっても構わない。すなわち、鋸刃１１は、台形歯１１Ｂと、この台形歯１１Ｂの切れ歯となる部分の稜線より幅方向において右方の外側に突出した右方平歯１１ＦＲと、前記台形歯１１Ｂの切れ歯となる部分の稜線より幅方向において左方の外側に突出した左方平歯１１ＦＬと、から構成される。つまり、右方平歯１１ＦＲと左方平歯１１ＦＬは上記の図２０ないしは図２２における平歯９Ｆ１，９Ｆ２を変形した実施の形態である。
【００３５】
この場合は、台形歯１１Ｂの歯高寸法１１ＨＢは、上記の右方平歯１１ＦＲの外側コーナ部の歯高寸法１１ＨFRと左方平歯１１ＦＬの外側コーナ部の歯高寸法１１ＨFLに対して同等、あるいは小さく構成されている。
【００３６】
上記の鋸刃９、鋸刃１１は、台形歯９Ｂ及び平歯９Ｆ１，９Ｆ２、あるいは台形歯１１Ｂ及び右方平歯１１ＦＲと左方平歯１１ＦＬがそれぞれ複数個を備えた他のバチ型パターンの鋸刃であっても構わない。
【００３７】
上記構成により、鋸刃による切断終了時の材料切り落としは歯高の最も高い部分で行われる。したがって、鋸刃７もしくは鋸刃９、鋸刃１１を用いて切断加工が行われると、図２３に示されているように必ず１対の各平歯７Ｆ１，７Ｆ２、あるいは９Ｆ１，９Ｆ２の歯高の高いコーナ部、または右方平歯１１ＦＲと左方平歯１１ＦＬの各外側コーナ部により切断終了時の材料切り落としが行われるので、切断加工時にバリが発生しないことになる。
【００３８】
図２７、図２８および図２９を参照するに、この発明の第６の実施の形態に係わる鋸刃１３は、少なくとも１個の直歯１３Ｓからなる先行歯と、歯先の厚み方向歯線のほぼ中央部に割をいれて直歯１３Ｓより左右方向に振り出した左右のアサリ歯１３Ｌ，１３Ｒを備えてなる両歯アサリ歯１３ＬＲから構成した後続歯が備えられている。
【００３９】
左右方向に振り出した両刃アサリ歯１３ＬＲは、それぞれ右アサリ歯１３Ｒの内側コーナ部の歯高寸法１３ＨＲ’が外側コーナ部の歯高寸法１３ＨＲに対して小さく構成されており、左アサリ歯１３Ｌの内側コーナ部の歯高寸法１３ＨＬ’が外側コーナ部の歯高寸法１３ＨＬに対して小さく構成されている。
【００４０】
また、直歯１３Ｓの左右コーナ部の歯高寸法１３ＨＳは、上記の両アサリ歯１３ＬＲの左アサリ歯１３Ｌと右アサリ歯１３Ｒの各外側コーナ部の歯高寸法１３ＨＬ，１３ＨＲに対して同等、あるいは小さく構成されている。
【００４１】
上記構成により、鋸刃による切断終了時の材料切り落としは歯高の最も高い部分で行われる。したがって、鋸刃１３を用いて切断加工が行われると、図３０に示されているように必ず両刃アサリ歯１３ＬＲの左アサリ歯１３Ｌと右アサリ歯１３Ｒの各外側コーナ部により切断終了時の材料切り落としが行われるので、切断加工時にバリが発生しないことになる。
【００４２】
なお、この発明は前述した実施の形態に限定されることなく、適宜な変更を行うことによりその他の態様で実施し得るものである。
【図面の簡単な説明】
【００４３】
【図１】この発明の第１の実施の形態の鋸刃を示す正面図である。
【図２】図１の下方から視た平面図である。
【図３】図１の矢視ＩＩＩ−ＩＩＩ線の断面図である。
【図４】この発明の第１の実施の形態の鋸刃で切断加工するときの状態説明図である。
【図５】この発明の第２の実施の形態の鋸刃を示す正面図である。
【図６】図５の下方から視た平面図である。
【図７】図５の矢視ＶＩＩ−ＶＩＩ線の断面図である。
【図８】この発明の第２の実施の形態の鋸刃で切断加工するときの状態説明図である。
【図９】この発明の第１の実施の形態の適用例を示す鋸刃であり、（Ａ）は正面図で、（Ｂ）は（Ａ）の下方から視た平面図である。
【図１０】この発明の第１の実施の形態の適用例を示す鋸刃であり、（Ａ）は正面図で、（Ｂ）は（Ａ）の下方から視た平面図である。
【図１１】この発明の第１の実施の形態の適用例を示す鋸刃であり、（Ａ）は正面図で、（Ｂ）は（Ａ）の下方から視た平面図である。
【図１２】この発明の第２の実施の形態の鋸刃を示す正面図である。
【図１３】図１２の下方からみた平面図である。
【図１４】図１２の矢視ＸＩＶ−ＸＩＶ線の断面図である。
【図１５】この発明の第２の実施形態の鋸刃で切断加工するときの状態説明図である。
【図１６】この発明の第４の実施の形態の鋸刃を示す正面図である。
【図１７】図１６の下方からみた平面図である。
【図１８】図１６の矢視ＸＶＩＩＩ−ＸＶＩＩＩ線の断面図である。
【図１９】この発明の第４の実施形態の鋸刃で切断加工するときの状態説明図である。
【図２０】この発明の第５の実施の形態の鋸刃を示す正面図である。
【図２１】図２０の下方から視た平面図である。
【図２２】図２０の矢視ＸＸＩＩ−ＸＸＩＩ線の断面図である。
【図２３】この発明の第５の実施の形態の鋸刃で切断加工するときの状態説明図である。
【図２４】この発明の第６の実施の形態の適用例を示す鋸刃の正面図である。
【図２５】図２４の下方から視た平面図である。
【図２６】図２４の矢視ＸＸＶＩ−ＸＸＶＩ線の断面図である。
【図２７】この発明の第３の実施の形態の鋸刃を示す正面図である。
【図２８】図２７の下方から視た平面図である。
【図２９】図２７の矢視ＸＸＩＸ−ＸＸＩＸ線の断面図である。
【図３０】この発明の第６の実施の形態の鋸刃で切断加工するときの状態説明図である。
【図３１】従来の左右アサリ型鋸刃で切断加工するときのバリ発生状態説明図である。
【図３２】従来のバチ型鋸刃で切断加工するときのバリ発生状態説明図である。
【図３３】従来の左右アサリ変形型鋸刃で切断加工するときのバリ発生状態説明図である。
【符号の説明】
【００４４】
１  鋸刃（第１の実施の形態の）
１Ｒ  右アサリ歯（後続歯）
１Ｌ  左アサリ歯（後続歯）
３  鋸刃（第２の実施の形態の）
３Ｓ  直歯（先行歯）
３Ｒ  右アサリ歯（後続歯）
３Ｌ  左アサリ歯（後続歯）
３ＨR、３ＨL  外側コーナ部の歯高寸法（右、左アサリ歯３Ｒ、３Ｌの）
３ＨR’、３ＨL’  内側コーナ部の歯高寸法（右、左アサリ歯３Ｒ、３Ｌの）３ＨS  左右コーナ部の歯高寸法（直歯３Ｓの）
５  鋸刃（第３の実施の形態の）
５Ｓ  台形歯（先行歯）
５Ｒ  右アサリ歯（後続歯）
５Ｌ  左アサリ歯（後続歯
５ＨＳ  歯高寸法（台形歯５Ｓの）
５ＨＲ，５ＨＬ  外側コーナ部の歯高寸法（右、左アサリ歯５Ｒ，５Ｌの）５ＨＲ’５ＨＬ’  内側コーナ部の歯高寸法（右、左アサリ歯５Ｒ，５Ｌの）
７  鋸刃（第４の実施の形態の）
７Ｆ1  右方平歯
７Ｆ2  左方平歯
７ＨＦ1Ｒ  外側コーナ部の歯高寸法（右方平歯７Ｆ1の）
７ＨＦ2Ｌ  外側コーナ部の歯高寸法（左方平歯７Ｆ2の）
９  鋸刃（第５の実施の形態の）
９Ｂ  台形歯（先行歯）
９Ｆ1  右方平歯（後続歯）
９Ｆ2  左方平歯（後続歯）
９ＨＢ  歯高寸法（台形歯９Ｂの）
９ＨＦ1Ｒ  外側コーナ部の歯高寸法（右方平歯９Ｆ1の）
９ＨＦ2Ｌ  外側コーナ部の歯高寸法（左方平歯９Ｆ2の）
１１  鋸刃
１１Ｂ  台形歯（先行歯）
１１ＦＬ  左方平歯（後続歯）
１１ＦＲ  右方平歯（後続歯）
１１Ｂ  歯高寸法（台形歯１１Ｂの）
１１ＨFL  外側コーナ部の歯高寸法（左方平歯１１ＦＬの）
１１ＨＦＲ’  内側コーナ部の歯高寸法（左方平歯１１ＦＬの）
１１ＨFR  外側コーナ部の歯高寸法（右方平歯１１ＦＲの）
１１ＨＦＬ’  内側コーナ部の歯高寸法（右方平歯１１ＦＲの）
１３  鋸刃（第６の実施の形態の）
１３Ｓ  直歯（先行歯）
１３ＬＲ  両歯アサリ歯（後続歯）
１３Ｌ  両歯アサリ歯の左アサリ歯
１３Ｒ  両歯アサリ歯の右アサリ歯
１３ＨＳ  歯高寸法（直歯１３Ｓの）
１３ＨL  外側コーナ部の歯高寸法（両歯アサリ歯の左アサリ歯１３Ｌの）１３ＨL’  内側コーナ部の歯高寸法（両歯アサリ歯の左アサリ歯１３Ｌの）
１３ＨR  外側コーナ部の歯高寸法（両歯アサリ歯の右アサリ歯１３Ｒの）
１３ＨR’  内側コーナ部の歯高寸法（両歯アサリ歯の右アサリ歯１３Ｒの）
【図１】
2008132594.tif 000003
【図２】
2008132594.tif 000004
【図３】
2008132594.tif 000005
【図４】
2008132594.tif 000006
【図５】
2008132594.tif 000007
【図６】
2008132594.tif 000008
【図７】
2008132594.tif 000009
【図８】
2008132594.tif 000010
【図９】
2008132594.tif 000011
【図１０】
2008132594.tif 000012
【図１１】
2008132594.tif 000013
【図１２】
2008132594.tif 000014
【図１３】
2008132594.tif 000015
【図１４】
2008132594.tif 000016
【図１５】
2008132594.tif 000017
【図１６】
2008132594.tif 000018
【図１７】
2008132594.tif 000019
【図１８】
2008132594.tif 000020
【図１９】
2008132594.tif 000021
【図２０】
2008132594.tif 000022
【図２１】
2008132594.tif 000023
【図２２】
2008132594.tif 000024
【図２３】
2008132594.tif 000025
【図２４】
2008132594.tif 000026
【図２５】
2008132594.tif 000027
【図２６】
2008132594.tif 000028
【図２７】
2008132594.tif 000029
【図２８】
2008132594.tif 000030
【図２９】
2008132594.tif 000031
【図３０】
2008132594.tif 000032
【図３１】
2008132594.tif 000033
【図３２】
2008132594.tif 000034
【図３３】
2008132594.tif 000035